(57)【要約】【課題】開口部付近の外観性を向上できるとともに、コストを手減することが可能な枠材および枠材の取付構造を提供することを目的とする。【解決手段】下地壁面材１２の側端部によって遮蔽される下地部１４と、壁本体１０の開口部側面１０ａ，１０ｂを化粧する表面部１５とを備えており、表面部１５は、この表面部１５の長さ方向と平行な両側縁部のうち、少なくとも前記下地壁面材１２が貼り付けられる方の側縁部から、該表面部１５の長さ方向と直交する方向に沿って、下地壁面材１２の室内側面よりも前方に突出する突出縁部１５ａを有する枠材１３と、この枠材１３を、壁本体１０に形成された開口部１１の縁部に取り付けてなる枠材１３の取付構造。これにより、下地部を確実に遮蔽しながら、突出縁部を、開口部の縁部に沿って見せることができるとともに、省部材化を図ることができる。【選択図】図１
2010180694.tif 000002
【特許請求の範囲】
【請求項１】
壁本体に形成された開口部の縁部に取り付けられる枠材において、
前記開口部に面する前記壁本体の開口部側面に固定されるとともに、この開口部側面に連続する壁本体の室内側面の少なくとも一方に貼り付けられる下地壁面材の側端部によって遮蔽される下地部と、
この下地部の開口部側に位置し、前記壁本体の開口部側面を化粧する表面部とを備えており、
前記表面部は、この表面部の長さ方向と平行な両側縁部のうち、少なくとも前記下地壁面材が貼り付けられる方の側縁部から、該表面部の長さ方向と直交する方向に沿って、前記下地壁面材の室内側面よりも前方に突出する突出縁部を有していることを特徴とする枠材。
【請求項２】
請求項１に記載の枠材において、
前記突出縁部の突出長さは、前記下地壁面材が貼り付けられる壁本体の室内側面から、前記下地壁面材の下端部に取り付けられる幅木の室内側面までの長さと略等しくなるように設定されていることを特徴とする枠材。
【請求項３】
請求項１または２に記載の枠材において、
前記表面部は、この表面部の長さ方向に沿って形成されるとともに、戸当たり部材が嵌め込まれて係合する係合溝を有していることを特徴とする枠材。
【請求項４】
請求項１〜３のいずれか一項に記載の枠材において、
前記表面部は、木粉と樹脂とを含む押出材を押出成形してなる押出成形品であるとともに、前記下地部は木材であり、これら表面部と下地部とは互いに結合されていることを特徴とする枠材。
【請求項５】
請求項１〜３のいずれか一項に記載の枠材において、
前記表面部と下地部とは、それぞれ木粉と樹脂とを含む押出材を押出成形してなる押出成形品であり、これら表面部と下地部とは互いに結合されていることを特徴とする枠材。
【請求項６】
請求項１〜３のいずれか一項に記載の枠材において、
前記表面部および下地部は、木粉と樹脂とを含む押出材を押出成形して一体的に形成されていることを特徴とする枠材。
【請求項７】
壁本体に形成された開口部の縁部に取り付けられる枠材において、
前記開口部に面する前記壁本体の開口部側面の長さ方向と平行な両側縁部のうち、一方の側縁部側に配置される第１部材と、他方の側縁部側に配置される第２部材とからなり、
前記第１部材は、前記開口部に面する前記壁本体の開口部側面に固定されるとともに、この開口部側面に連続する壁本体の一方の室内側面に貼り付けられる下地壁面材の側端部によって遮蔽される第１下地部と、この第１下地部の開口部側に位置し、前記壁本体の開口部側面を化粧する第１表面部とを備えており、
前記第２部材は、前記開口部に面する前記壁本体の開口部側面に固定されるとともに、この開口部側面に連続する壁本体の他方の室内側面に貼り付けられる下地壁面材の側端部によって遮蔽される第２下地部と、この第２下地部の開口部側に位置し、前記壁本体の開口部側面を化粧する第２表面部とを備えており、
前記第２下地部５４Ｂの開口部側面５０ａから開口部５１側方向への長さは、前記第１下地部５４Ａの開口部側面５０ａから開口部５１側方向への長さよりも長くなるように設定されており、
前記第１表面部は、この第１表面部の下地壁面材側縁部から、該第１表面部の長さ方向と直交する方向に沿って、前記下地壁面材の室内側面よりも前方に突出する第１突出縁部を有しており、
前記第２表面部は、この第２表面部の下地壁面材側縁部から、該第２表面部の長さ方向と直交する方向に沿って、前記下地壁面材の室内側面よりも前方に突出する第２突出縁部と、この第２突出縁部とは反対方向に突出するとともに前記第１表面部の第２部材側縁部に重ね合わせられる第３突出縁部とを有していることを特徴とする枠材。
【請求項８】
請求項１〜６のいずれか一項に記載の枠材を、壁本体に形成された開口部の縁部に取り付けてなる枠材の取付構造であって、
前記開口部は、前記壁本体が立設される床面付近から天井付近までの高さに設定されたドア開口部であり、前記枠材は、このドア開口部の縁部に取り付けられるドア枠材として用いられており、
このドア枠材としての枠材は、該枠材の下地部を、前記開口部側面に連続する壁本体の室内側面の少なくとも一方に貼り付けられる下地壁面材の側端部によって遮蔽するようにして、前記開口部側面に取り付けられていることを特徴とする枠材の取付構造。
【請求項９】
請求項１〜６のいずれか一項に記載の枠材を、壁本体に形成された開口部の縁部に取り付けてなる枠材の取付構造であって、
前記開口部は、前記壁本体が立設される床面から所定高さ位置に形成されるとともに、前記開口部側面の屋外側に窓サッシが嵌め込まれて取り付けられる窓開口部であり、前記枠材は、この窓開口部の縁部に取り付けられる窓枠材として用いられており、
この窓枠材としての枠材は、該枠材の下地部を、前記開口部側面に連続する壁本体の室内側面に貼り付けられる下地壁面材の側端部と、前記窓サッシとによって遮蔽するようにして、前記開口部側面の室内側に取り付けられていることを特徴とする枠材の取付構造。
【請求項１０】
請求項７に記載の枠材を、壁本体に形成された開口部の縁部に取り付けてなる枠材の取付構造であって、
前記開口部は、前記壁本体が立設される床面付近から天井付近までの高さに設定されたドア開口部であり、前記枠材は、このドア開口部の縁部に取り付けられるドア枠材として用いられており、
このドア枠材としての枠材は、該枠材の第１下地部および第２下地部を、前記開口部側面に連続する壁本体の一方および他方の室内側面に貼り付けられる下地壁面材の側端部によって遮蔽するようにして、前記開口部側面に取り付けられていることを特徴とする枠材の取付構造。
【発明の詳細な説明】
【技術分野】
【０００１】
本発明は、壁本体に形成された開口部の縁部に取り付けられる枠材と、この枠材を、壁本体に形成された開口部の縁部に取り付けてなる枠材の取付構造とに関する。
【背景技術】
【０００２】
壁に形成された開口部の内周面に化粧枠を取り付ける化粧枠の取付構造の一例として特許文献１に記載の技術が知られている。
この技術では、壁に形成された開口部に本体枠が固定され、この本体枠の側部に形成された凹溝部に額縁材が挿入嵌合している。また、前記凹溝には結合金具が装着されており、この結合金具に額縁材の表面に食い込み係止される係止凸片が形成されている。したがって、本体枠の凹溝部内に結合金具を装着した状態で同凹溝部に額縁材の結合辺部を挿入嵌合することによって、同結合金具の側辺部に突設される表側係止凸片が結合辺部の表面に食い込み係止され、同額縁材はその結合辺部が凹溝部から抜け外れないように確実に結合固定される。
【先行技術文献】
【特許文献】
【０００３】
【特許文献１】特開平９−０７８９４２号公報
【発明の概要】
【発明が解決しようとする課題】
【０００４】
ところで、このような額縁材を本体枠に結合して開口部を化粧した場合、該額縁材は木製であり、本体枠から壁芯材の中央に向かって幅広に、かつ、ある程度の厚みを持って形成されているので、開口部付近に対して、必要以上に重厚な印象を与えてしまう場合がある。このため、開口部付近の印象を軽快でシンプルなものとし、より外観性を向上できるような技術の開発が望まれていた。
また、開口部を化粧するに際しては、このような額縁材や、金属板を折曲および打ち抜き切り起こし加工を施してなる結合金具等の部材が必要となるので、コストが上昇してしまう場合がある。このため、省部材化を図り、コストを低減したいという要望があった。
【０００５】
本発明の課題は、開口部付近の外観性を向上できるとともに、コストを手減することが可能な枠材および枠材の取付構造を提供することを目的とする。
【課題を解決するための手段】
【０００６】
請求項１に記載の発明は、例えば図１〜図９に示すように、壁本体１０，２０，３０，４０に形成された開口部１１，２１，３１，４１の縁部に取り付けられる枠材１３，２３，３３，４３において、
前記開口部１１，２１，３１，４１に面する前記壁本体１０，２０，３０，４０の開口部側面１０ａ，１０ｂ、２０ａ、３０ａ、４０ｂに固定されるとともに、この開口部側面１０ａ，１０ｂ、２０ａ、３０ａ、４０ｂに連続する壁本体１０，２０，３０，４０の室内側面１０ｃ，２０ｃ，３０ｃ，４０ｃの少なくとも一方に貼り付けられる下地壁面材１２，２２，３２，４２の側端部によって遮蔽される下地部１４，２４，３４，４４と、
この下地部１４，２４，３４，４４の開口部１１，２１，３１，４１側に位置し、前記壁本体１０，２０，３０，４０の開口部側面１０ａ，１０ｂ、２０ａ、３０ａ、４０ｂを化粧する表面部１５，２５，３５，４５とを備えており、
前記表面部１５，２５，３５，４５は、この表面部１５，２５，３５，４５の長さ方向と平行な両側縁部のうち、少なくとも前記下地壁面材１２，２２，３２，４２が貼り付けられる方の側縁部から、該表面部１５，２５，３５，４５の長さ方向と直交する方向に沿って、前記下地壁面材１２，２２，３２，４２の室内側面よりも前方に突出する突出縁部１５ａ，２５ａ，３５ａ，４５ａを有していることを特徴とする。
【０００７】
請求項１に記載の発明によれば、前記表面部１５，２５，３５，４５は、前記下地部１４，２４，３４，４４を遮蔽する前記下地壁面材１２，２２，３２，４２の室内側面よりも前方に突出する突出縁部１５ａ，２５ａ，３５ａ，４５ａを有しているので、前記下地部１４，２４，３４，４４を確実に遮蔽しながら、前記突出縁部１５ａ，２５ａ，３５ａ，４５ａを、前記開口部１１，２１，３１，４１の縁部に沿って見せることができる。このような表面部１５，２５，３５，４５の突出縁部１５ａ，２５ａ，３５ａ，４５ａによれば、従来に比して、前記開口部１１，２１，３１，４１付近に対して軽快でシンプルな印象を与えることができるので、より外観性を向上させることができる。
また、従来とは異なり、例えば額縁材や結合金具等の部材を用いずに、前記開口部１１，２１，３１，４１を化粧することができるので、省部材化を図り、コストを確実に低減させることが可能となる。
【０００８】
請求項２に記載の発明は、例えば図２，図４〜図９に示すように、請求項１に記載の枠材１３，２３，３３，４３において、
前記突出縁部１５ａ，２５ａ，３５ａ，４５ａの突出長さは、前記下地壁面材１２，２２，３２，４２が貼り付けられる壁本体１０，２０，３０，４０の室内側面１０ｃ，２０ｃ，３０ｃ，４０ｃから、前記下地壁面材１２，２２，３２，４２の下端部に取り付けられる幅木１２ｂ，２２ｂ，３２ｂ，４２ｂの室内側面までの長さと略等しくなるように設定されていることを特徴とする。
【０００９】
請求項２に記載の発明によれば、前記突出縁部１５ａ，２５ａ，３５ａ，４５ａの突出長さは、前記下地壁面材１２，２２，３２，４２が貼り付けられる壁本体１０，２０，３０，４０の室内側面１０ｃ，２０ｃ，３０ｃ，４０ｃから、前記下地壁面材１２，２２，３２，４２の下端部に取り付けられる幅木１２ｂ，２２ｂ，３２ｂ，４２ｂの室内側面までの長さと略等しくなるように設定されているので、前記幅木１２ｂ，２２ｂ，３２ｂ，４２ｂを、前記突出縁部１５ａ，２５ａ，３５ａ，４５ａと当接するようにして前記下地壁面材１２，２２，３２，４２の下端部に取り付けるようにすることで、これら幅木１２ｂ，２２ｂ，３２ｂ，４２ｂと突出縁部１５ａ，２５ａ，３５ａ，４５ａとの一体感を高めることができ、前記開口部１１，２１，３１，４１付近の外観性をより向上させることができる。
【００１０】
請求項３に記載の発明は、例えば図２，図３，図５，図６に示すように、請求項１または２に記載の枠材１３，２３において、
前記表面部１５，２５は、この表面部１５，２５の長さ方向に沿って形成されるとともに、戸当たり部材１６，２６が嵌め込まれて係合する係合溝１５ｂ，２５ｂを有していることを特徴とする。
【００１１】
請求項３に記載の発明によれば、前記表面部１５，２５は、この表面部１５，２５の長さ方向に沿って形成されるとともに、戸当たり部材１６，２６が嵌め込まれて係合する係合溝１５ｂ，２５ｂを有しているので、この係合溝１５ｂ，２５ｂに前記戸当たり部材１６，２６を確実に嵌め込むことができ、枠材１３，２３をドア枠材として用いることができる。
また、前記係合溝１５ｂ，２５ｂの底部に釘等を打ち込むことによって、枠材１３，２３自体を前記開口部側面１０ａ，１０ｂ、２０ａに確実に固定することが可能となる。しかも、前記係合溝１５ｂ，２５ｂの底部に打ち込まれた釘を、前記戸当たり部材１６，２６によって遮蔽することができるので、前記開口部１１，２１付近の外観性をさらに向上させることができる。
【００１２】
請求項４に記載の発明は、請求項１〜３のいずれか一項に記載の枠材１３，２３，３３，４３において、
前記表面部１５，２５，３５，４５は、木粉と樹脂とを含む押出材を押出成形してなる押出成形品であるとともに、前記下地部１４，２４，３４，４４は木材であり、これら表面部１５，２５，３５，４５と下地部１４，２４，３４，４４とは互いに結合されていることを特徴とする。
【００１３】
請求項４に記載の発明によれば、前記下地部１４，２４，３４，４４は木材であることから、例えば枠材１３，２３，３３，４３を前記開口側端面１０ａ，１０ｂ、２０ａ、３０ａ、４０ｂに固定する際に、釘やビス等の止着材を打ち込みやすい。
また、前記表面部１５，２５，３５，４５は、木粉と樹脂とを含む押出材を押出成形してなる押出成形品であることから、全体に木粉が含まれた木質感のある部材として用いることができる。また、天然木を用いる場合に比して、押出方向において所望の長さに製造できるとともに、断面を様々な形状に成形できる。
さらに、これら表面部１５，２５，３５，４５と下地部１４，２４，３４，４４とは互いに結合されるものであるから、例えば、予め結合しておき、前記表面部１５，２５，３５，４５と下地部１４，２４，３４，４４とを一度に前記開口部側面１０ａ，１０ｂ、２０ａ、３０ａ、４０ｂに固定してもよいし、まず、前記下地部１４，２４，３４，４４だけを前記開口部側面１０ａ，１０ｂ、２０ａ、３０ａ、４０ｂに固定してから、この下地部１４，２４，３４，４４に前記表面部１５，２５，３５，４５を結合するようにしてもよく、使い勝手がよい。
【００１４】
請求項５に記載の発明は、請求項１〜３のいずれか一項に記載の枠材１３，２３，３３，４３において、
前記表面部１５，２５，３５，４５と下地部１４，２４，３４，４４とは、それぞれ木粉と樹脂とを含む押出材を押出成形してなる押出成形品であり、これら表面部１５，２５，３５，４５と下地部１４，２４，３４，４４とは互いに結合されていることを特徴とする。
【００１５】
請求項５に記載の発明によれば、前記表面部１５，２５，３５，４５と下地部１４，２４，３４，４４とは、それぞれ木粉と樹脂とを含む押出材を押出成形してなる押出成形品であることから、全体に木粉が含まれた木質感のある部材として用いることができる。また、天然木を用いる場合に比して、押出方向において所望の長さに製造できるとともに、断面を様々な形状に成形できる。
さらに、これら表面部１５，２５，３５，４５と下地部１４，２４，３４，４４とは互いに結合されるものであるから、例えば、予め結合しておき、前記表面部１５，２５，３５，４５と下地部１４，２４，３４，４４とを一度に前記開口部側面１０ａ，１０ｂ、２０ａ、３０ａ、４０ｂに固定してもよいし、まず、前記下地部１４，２４，３４，４４だけを前記開口部側面１０ａ，１０ｂ、２０ａ、３０ａ、４０ｂに固定してから、この下地部１４，２４，３４，４４に前記表面部１５，２５，３５，４５を結合するようにしてもよく、使い勝手がよい。
【００１６】
請求項６に記載の発明は、請求項１〜３のいずれか一項に記載の枠材１３，２３，３３，４３において、
前記表面部１５，２５，３５，４５および下地部１４，２４，３４，４４は、木粉と樹脂とを含む押出材を押出成形して一体的に形成されていることを特徴とする。
【００１７】
請求項６に記載の発明によれば、前記表面部１５，２５，３５，４５および下地部１４，２４，３４，４４は、木粉と樹脂とを含む押出材を押出成形して一体的に形成されていることから、全体に木粉が含まれた木質感のある部材として用いることができる。また、天然木を用いる場合に比して、押出方向において所望の長さに製造できるとともに、断面を様々な形状に成形できる。
さらに、前記表面部１５，２５，３５，４５および下地部１４，２４，３４，４４は一体的に形成されているので、これら表面部１５，２５，３５，４５および下地部１４，２４，３４，４４を一度に製造できるとともに、一度に前記開口部側面１０ａ，１０ｂ、２０ａ、３０ａ、４０ｂに固定することができる。
【００１８】
請求項７に記載の発明は、例えば図１０に示すように、壁本体５０に形成された開口部５１の縁部に取り付けられる枠材５３において、
前記開口部５１に面する前記壁本体５０の開口部側面５０ａの長さ方向と平行な両側縁部のうち、一方の側縁部側に配置される第１部材５３Ａと、他方の側縁部側に配置される第２部材５３Ｂとからなり、
前記第１部材５３Ａは、前記開口部５１に面する前記壁本体５０の開口部側面５０ａに固定されるとともに、この開口部側面５０ａに連続する壁本体５０の一方の室内側面５０ｃに貼り付けられる下地壁面材５２の側端部によって遮蔽される第１下地部５４Ａと、この第１下地部５４Ａの開口部５１側に位置し、前記壁本体５０の開口部側面５０ａを化粧する第１表面部５５Ａとを備えており、
前記第２部材５３Ｂは、前記開口部５１に面する前記壁本体５０の開口部側面５０ａに固定されるとともに、この開口部側面５０ａに連続する壁本体５０の他方の室内側面５０ｃに貼り付けられる下地壁面材５２の側端部によって遮蔽される第２下地部５４Ｂと、この第２下地部５４Ｂの開口部５１側に位置し、前記壁本体５０の開口部側面５０ａを化粧する第２表面部５５Ｂとを備えており、
前記第２下地部５４Ｂの開口部側面５０ａから開口部５１側方向への長さは、前記第１下地部５４Ａの開口部側面５０ａから開口部５１側方向への長さよりも長くなるように設定されており、
前記第１表面部５５Ａは、この第１表面部５５Ａの下地壁面材５２側縁部から、該第１表面部５５Ａの長さ方向と直交する方向に沿って、前記下地壁面材５２の室内側面よりも前方に突出する第１突出縁部５５Ａａを有しており、
前記第２表面部５５Ｂは、この第２表面部５５Ｂの下地壁面材５２側縁部から、該第２表面部５５Ｂの長さ方向と直交する方向に沿って、前記下地壁面材５２の室内側面よりも前方に突出する第２突出縁部５５Ｂａと、この第２突出縁部５５Ｂａとは反対方向に突出するとともに前記第１表面部５５Ａの第２部材５３Ｂ側縁部に重ね合わせられる第３突出縁部５６とを有していることを特徴とする。
【００１９】
請求項７に記載の発明によれば、前記第１表面部５５Ａおよび第２表面部５５Ｂは、前記第１下地部５４Ａおよび第２下地部５４Ｂを遮蔽する前記下地壁面材５２，５２の室内側面よりも前方に突出する第１突出縁部５５Ａａおよび第２突出縁部５５Ｂａをそれぞれ有しているので、前記第１下地部５４Ａおよび第２下地部５４Ｂを確実に遮蔽しながら、前記第１突出縁部５５Ａａおよび第２突出縁部５５Ｂａを、前記開口部５１の縁部に沿って見せることができる。このような第１表面部５５Ａおよび第２表面部５５Ｂの第１突出縁部５５Ａａおよび第２突出縁部５５Ｂａによれば、従来に比して、前記開口部５１付近に対して軽快でシンプルな印象を与えることができるので、より外観性を向上させることができる。
また、従来とは異なり、例えば額縁材や結合金具等の部材を用いずに、前記開口部５１を化粧することができるので、省部材化を図り、コストを確実に低減させることが可能となる。
さらに、前記第２下地部５４Ｂの開口部側面５０ａから開口部５１側方向への長さは、前記第１下地部５４Ａの開口部側面５０ａから開口部５１側方向への長さよりも長くなるように設定されており、前記第２表面部５５Ｂは、前記第２突出縁部５５Ｂａとは反対方向に突出するとともに前記第１表面部５５Ａの第２部材５３Ｂ側縁部に重ね合わせられる第３突出縁部５６とを有しているので、前記第１表面部５５Ａと第２表面部５５Ｂとを段状に組み合わせることができるとともに、前記第３突出縁部５６を、ドアの側端部が当接する戸当たりとして利用することができる。すなわち、前記第１表面部５５Ａと第２表面部５５Ｂとを段状に組み合わせることで、戸当たりを形成することができるので、戸当たりを別個に取り付ける作業を省略できる分、作業効率を向上させることができるとともに、省部材化をさらに促進することができる。
【００２０】
請求項８に記載の発明は、例えば図１〜図７に示すように、請求項１〜６のいずれか一項に記載の枠材１３，２３，３３を、壁本体１０，２０，３０に形成された開口部１１，２１，３１の縁部に取り付けてなる枠材１３，２３，３３の取付構造であって、
前記開口部１１，２１，３１は、前記壁本体１０，２０，３０が立設される床面付近から天井付近までの高さに設定されたドア開口部１１，２１，３１であり、前記枠材１３，２３，３３は、このドア開口部１１，２１，３１の縁部に取り付けられるドア枠材として用いられており、
このドア枠材としての枠材１３，２３，３３は、該枠材１３，２３，３３の下地部１４，２４，３４を、前記開口部側面１０ａ，１０ｂ、２０ａ、３０ａに連続する壁本体１０，２０，３０の室内側面１０ｃ，２０ｃ，３０ｃの少なくとも一方に貼り付けられる下地壁面材１２，２２，３２の側端部によって遮蔽するようにして、前記開口部側面１０ａ，１０ｂ、２０ａ、３０ａに取り付けられていることを特徴とする。
【００２１】
請求項８に記載の発明によれば、前記ドア枠材としての枠材１３，２３，３３は、該枠材１３，２３，３３の下地部１４，２４，３４を、前記開口部側面１０ａ，１０ｂ、２０ａ、３０ａに連続する壁本体１０，２０，３０の室内側面１０ｃ，２０ｃ，３０ｃの少なくとも一方に貼り付けられる下地壁面材１２，２２，３２の側端部によって遮蔽するようにして、前記開口部側面１０ａ，１０ｂ、２０ａ、３０ａに取り付けられているので、前記下地壁面材１２，２２，３２の側端部によって前記下地部１４，２４，３４，４４をより確実に遮蔽することができ、前記ドア開口部１１，２１，３１の外観性を確実に向上できる。
また、従来とは異なり、例えば額縁材や結合金具等の部材を用いずに、前記ドア開口部１１，２１，３１を化粧することができるので、省部材化を図り、コストをより確実に低減させることが可能となる。
【００２２】
請求項９に記載の発明は、例えば図８および図９に示すように、請求項１〜６のいずれか一項に記載の枠材４３を、壁本体４０に形成された開口部４１の縁部に取り付けてなる枠材４３の取付構造であって、
前記開口部４１は、前記壁本体４０が立設される床面から所定高さ位置に形成されるとともに、前記開口部側面４０ｂの屋外側に窓サッシ４７が嵌め込まれて取り付けられる窓開口部４１であり、前記枠材４３は、この窓開口部４１の縁部に取り付けられる窓枠材として用いられており、
この窓枠材としての枠材４３は、該枠材４３の下地部４４を、前記開口部側面４０ｂに連続する壁本体４０の室内側面４０ｃに貼り付けられる下地壁面材４２の側端部と、前記窓サッシ４７とによって遮蔽するようにして、前記開口部側面４０ｂの室内側に取り付けられていることを特徴とする。
【００２３】
請求項９に記載の発明によれば、前記窓枠材としての枠材４３は、該枠材４３の下地部４４を、前記開口部側面４０ｂに連続する壁本体４０の室内側面４０ｃに貼り付けられる下地壁面材４２の側端部と、前記窓サッシ４７とによって遮蔽するようにして、前記開口部側面４０ｂに取り付けられているので、これら下地壁面材４２の側端部と窓サッシ４７とによって前記下地部４４をより確実に遮蔽することができ、前記窓開口部４１の外観性を確実に向上できる。
また、従来とは異なり、例えば額縁材や結合金具等の部材を用いずに、前記窓開口部４１を化粧することができるので、省部材化を図り、コストをさらに確実に低減させることが可能となる。
【００２４】
請求項１０に記載の発明は、例えば図１０に示すように、請求項７に記載の枠材５３を、壁本体５０に形成された開口部５１の縁部に取り付けてなる枠材５３の取付構造であって、
前記開口部５１は、前記壁本体５０が立設される床面付近から天井付近までの高さに設定されたドア開口部５１であり、前記枠材５３は、このドア開口部５１の縁部に取り付けられるドア枠材として用いられており、
このドア枠材としての枠材５３は、該枠材５３の第１下地部５４Ａおよび第２下地部５４Ｂを、前記開口部側面５０ａに連続する壁本体５０の一方および他方の室内側面５０ｃ，５０ｃに貼り付けられる下地壁面材５２，５２の側端部によって遮蔽するようにして、前記開口部側面５０ａに取り付けられていることを特徴とする。
【００２５】
請求項１０に記載の発明によれば、前記ドア枠材としての枠材５３は、該枠材５３の第１下地部５４Ａおよび第２下地部５４Ｂを、前記開口部側面５０ａに連続する壁本体５０の一方および他方の室内側面５０ｃ，５０ｃに貼り付けられる下地壁面材５２，５２の側端部によって遮蔽するようにして、前記開口部側面５０ａに取り付けられているので、前記下地壁面材５２，５２の側端部によって前記第１下地部５４Ａおよび第２下地部５４Ｂをより確実に遮蔽することができ、前記ドア開口部５１の外観性を確実に向上できる。
また、従来とは異なり、例えば額縁材や結合金具等の部材を用いずに、前記ドア開口部５１を化粧することができるので、省部材化を図り、コストをより確実に低減させることが可能となる。
【発明の効果】
【００２６】
本発明によれば、表面部は、下地部を遮蔽する下地壁面材の室内側面よりも前方に突出する突出縁部を有しているので、下地部を確実に遮蔽しながら、突出縁部を、開口部の縁部に沿って見せることができる。このような表面部の突出縁部によれば、従来に比して、開口部付近に対して軽快でシンプルな印象を与えることができるので、より外観性を向上させることができる。
また、従来とは異なり、例えば額縁材や結合金具等の部材を用いずに、開口部を化粧することができるので、省部材化を図り、コストを確実に低減させることが可能となる。
【図面の簡単な説明】
【００２７】
【図１】本発明の枠材の取付構造の第１の実施の形態を示す立面図である。
【図２】図１に示す枠材の取付構造の平断面図である。
【図３】図１に示す枠材の取付構造の部分側断面図である。
【図４】図１に示す枠材の取付構造の部分拡大斜視図である。
【図５】図１に示す枠材の取付構造の斜視図である。
【図６】本発明の枠材の取付構造の第２の実施の形態を示す平断面図である。
【図７】本発明の枠材の取付構造の第３の実施の形態を示す平断面図である。
【図８】本発明の枠材の取付構造の第４の実施の形態を示す立面図である。
【図９】図８に示す枠材の取付構造の部分側断面図である。
【図１０】本発明の枠材の取付構造の第５の実施の形態を示す平断面図である。
【発明を実施するための形態】
【００２８】
以下、図面を参照して本発明の実施の形態について説明する。
【００２９】
（第１の実施の形態）
本実施の形態の枠材１３は、図１〜図５に示すように、壁本体１０に形成された開口部１１の縁部に取り付けられるものであり、前記開口部１１に面する前記壁本体１０の開口部側面１０ａ，１０ｂに固定されるとともに、この開口部側面１０ａ，１０ｂに連続する壁本体１０の室内側面１０ｃの少なくとも一方に貼り付けられる下地壁面材１２の側端部によって遮蔽される下地部１４と、この下地部１４の開口部１１側に位置し、前記壁本体１０の開口部側面１０ａ，１０ｂを化粧する表面部１５とを備えている。
そして、前記表面部１５は、この表面部１５の長さ方向と平行な両側縁部のうち、少なくとも前記下地壁面材１２が貼り付けられる方の側縁部から、該表面部１５の長さ方向と直交する方向に沿って、前記下地壁面材１２の室内側面よりも前方に突出する突出縁部１５ａを有している。
【００３０】
ここで、前記壁本体１０は複数の建築用壁パネル（以下、壁パネル）を組み立ててなるものであり、この壁パネルとは、縦横の框材が矩形状に組み立てられるとともに、矩形枠の内部に補助桟材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
【００３１】
また、前記開口部１１は、前記壁本体１０を、例えば、縦方向に長尺な２枚の壁パネルの上端部間に、開口部１１の上部に位置する他の壁パネルを架設して門型に形成することによって、この壁本体１０の中央部に形成されるものである。
なお、このように前記壁本体１０を門型に形成することによってドア開口部を形成することができる。つまり、本実施の形態の開口部１１は、図１に示すようにドア開口部１１であり、ドア１７が開閉自在に設けられている。
また、例えば前記複数の壁パネルを口字状に組み立てることによって窓開口部を形成できるようになっている。
さらに、この開口部１１の大きさは、通常のドアや窓サッシ設けられる程度の大きさに設定されている。
【００３２】
そして、前記壁本体１０は、この開口部１１に面する前記開口部側面１０ａ，１０ｂを備えることになる。つまり、これら開口部側面１０ａ，１０ｂの横方向の長さは、前記壁パネルの厚み分の長さと等しい。
なお、前記開口部側面１０ａは、図２に示すように、縦方向すなわち壁本体１０の上下方向に延在する面であり、前記開口部側面１０ｂは、図３に示すように、横方向すなわち壁本体１０の左右方向に延在する面である。
【００３３】
また、本実施の形態においては、図２，図３，図５に示すように、前記壁本体１０の室内側面１０ｃ，１０ｃの双方に前記下地壁面材１２が貼り付けられている。
この下地壁面材１２は、例えば石膏ボード等であり、図４および図５に示すように、この石膏ボード１２の表面にさらにクロス１２ａ等の仕上げ材が貼り付けられている。なお、このクロス１２ａの端部は、図５に示すようにカッターＣ等で切除する。この際、前記表面部１５の突出縁部１５ａと下地壁面材１２とで形成される隅部を、カッターＣでクロス１２ａを切る際の定規として用いるようにしてもよい。
また、このクロス１２ａの表面には、図１に示すように、前記壁本体１０の下端部に幅木１２ｂがそれぞれ取り付けられている。
【００３４】
前記枠材１３は、前記表面部１５が、木粉と樹脂とを含む押出材を押出成形してなる押出成形品であるとともに、前記下地部１４が木材であり、これら表面部１５と下地部１４とが互いに結合されてなるものである。
このように前記下地部１４が木材であれば、例えば枠材１３を前記開口側端面１０ａ，１０ｂに固定する際に、釘やビス等の止着材を打ち込みやすい。また、前記表面部１５が、木粉と樹脂とを含む押出材を押出成形してなる押出成形品であれば、全体に木粉が含まれた木質感のある部材として用いることができる。また、天然木を用いる場合に比して、押出方向において所望の長さに製造できるとともに、断面を様々な形状に成形できる。
さらに、これら表面部１５と下地部１４とは互いに結合されるものであるから、例えば、予め結合しておき、前記表面部１５と下地部１４とを一度に前記開口部側面１０ａ，１０ｂに固定してもよいし、まず、前記下地部１４だけを前記開口部側面１０ａ，１０ｂに固定してから、この下地部１４に前記表面部１５を結合するようにしてもよく、使い勝手がよい。
【００３５】
また、前記表面部１５は、上述のように前記突出縁部１５ａを有している。本実施の形態の突出縁部１５ａは、図２〜図５に示すように、前記表面部１５の両側縁部に設けられている。
これら突出縁部１５ａ，１５ａの突出長さは、前記下地壁面材１２，１２が貼り付けられる壁本体１０の室内側面１０ｃ，１０ｃから、前記下地壁面材１２，１２の下端部に取り付けられた前記幅木１２ｂ，１２ｂの室内側面までの長さと略等しくなるように設定されている。
これによって、前記幅木１２ｂ，１２ｂを、前記突出縁部１５ａ，１５ａと当接するようにして前記下地壁面材１２，１２の下端部に取り付けるようにすることで、これら幅木１２ｂ，１２ｂと突出縁部１５ａ，１５ａとの一体感を高めることができ、前記開口部１１付近の外観性を向上させることができる。
【００３６】
さらに、前記表面部１５は、この表面部１５の長さ方向に沿って形成されるとともに、戸当たり部材１６が嵌め込まれて係合する係合溝１５ｂを有している。この係合溝１５ｂは断面視略コ字状に形成されており、この係合溝１５ｂの形状に合わせて前記下地部１４も凹状に切削された溝部１４ａを有している。すなわち、この下地部１４の溝部１４ａに前記表面部１５の係合溝１５ｂを嵌め込むことができるようになっている。
なお、前記表面部１５は、前記壁本体１０の室内側面１０ｃ，１０ｃの延長線上に前記壁本体１０側に向かって突出する突部１５ｃ，１５ｃを有している。これに合わせて、前記下地部１４にも、前記突部１５ｃ，１５ｃが当接する切欠部１４ｂ，１４ｂが形成されている。
したがって、前記表面部１５の係合溝１５ｂおよび突部１５ｃ，１５ｃを、前記下地部１４の溝部１４ａおよび切欠部１４ｂ，１４ｂに合致させることで、これら下地部１４と表面部１５とが互いに結合されることとなる。
【００３７】
そして、以上のように前記表面部１５は、この表面部１５の長さ方向に沿って形成されるとともに、戸当たり部材１６が嵌め込まれて係合する係合溝１５ｂを有しているので、この係合溝１５ｂに前記戸当たり部材１６を確実に嵌め込むことができ、枠材１３をドア枠材として用いることができる。
また、前記係合溝１５ｂの底部に釘等を打ち込むことによって、枠材１３自体を前記開口部側面１０ａ，１０ｂに確実に固定することが可能となる。しかも、前記係合溝１５ｂの底部に打ち込まれた釘を、前記戸当たり部材１６によって遮蔽することができるので、前記開口部１１付近の外観性を向上させることができる。
【００３８】
なお、前記戸当たり部材１６の代わりに、前記係合溝１５ａを塞ぐとともに、前記表面部１５の化粧面と面一となる蓋部材（図示せず）を嵌め込むようにしてもよい。この蓋部材は前記表面部１５と同一の素材からなるものである。
【００３９】
また、前記表面部１５は、図４に示すように、前記突出縁部１５ａ，１５ａの下地壁面材１２側面に、前記突出縁部１５ａ，１５ａの長さ方向に沿って、かつ前記突出縁部１５ａ，１５ａの突出方向に沿って並設するようにして複数の突起が形成された当接面１５ｄ，１５ｄを有している。
これら複数の突起が形成された当接面１５ｄ，１５ｄには、前記下地壁面材１２の側端部が当接するようになっており、施工時に、前記下地壁面材１２，１２を、これら当接面に１５ｄ，１５ｄに押し付けるようにしてから前記室内側面１０ｃ，１０ｃに貼り付けて固定することで、例えば経年変化等によって、前記下地壁面材１２が前記壁本体１０の室内側面１０ｃから離間する方向に反り返ってしまうことを防ぐことができる。
また、これら当接面１５ｄ，１５ｄに接着剤を塗布してから前記下地壁面材１２，１２を設けることで、これら下地壁面材１２，１２の変形をより確実に防ぐことができる。
さらに、前記下地壁面材１２，１２を前記壁本体１０の室内側面１０ｃ，１０ｃに貼り付ける際は、前記壁本体１０の開口部側面１０ａ，１０ｂにそれぞれ前記枠材１３を取り付けておき、予め取り付けられた該枠材１３の突出縁部１５ａに前記下地壁面材１２，１２の側端面を押し当てるようにしながら前記室内側面１０ｃ，１０ｃにそれぞれ貼り付けるようにする。これによって、前記下地壁面材１２，１２の側端部と前記突出縁部１５ａ，１５ａとの間に隙間が生じにくい。
【００４０】
なお、本実施の形態において、前記表面部１５が、木粉と樹脂とを含む押出材を押出成形してなる押出成形品であるとともに、前記下地部１４が木材であるとしたが、これに限られるものではない。
すなわち、前記表面部１５と下地部１４とを、それぞれ木粉と樹脂とを含む押出材を押出成形してなる押出成形品とし、これら表面部１５と下地部１４とを互いに結合して用いるものでもよい。これにより、前記表面部１５と下地部１４とを、全体に木粉が含まれた木質感のある部材として用いることができる。
また、前記表面部１５および下地部１４を、木粉と樹脂とを含む押出材を押出成形して一体的に形成したものとしてもよい。これにより、全体に木粉が含まれた木質感のある一部材として用いることができる。さらに、これら表面部１５および下地部１４を一度に製造できるとともに、一度に前記開口部側面１０ａ，１０ｂに固定することができる、という利点もある。
【００４１】
そして、以上のような枠材１３は、ドア開口部１１である前記開口部１１の縁部に取り付けられるドア枠材として用いられている。つまり、図１〜図３に示すように、門型に形成された壁本体１０の開口部側面１０ａ，１０ｂのうち、前記ドア開口部１１の両側縁に位置する開口部側面１０ａと、ドア開口部１１の上縁に位置する開口部側面１０ｂとに取り付けられている。
【００４２】
また、このドア枠材としての枠材１３は、該枠材１３の下地部１４を、前記開口部側面１０ａ，１０ｂに連続する壁本体１０の室内側面１０ｃ，１０ｃの双方に貼り付けられる下地壁面材１２の側端部によって遮蔽するようにして、前記開口部側面１０ａ，１０ｂに取り付けられている。
これにより、前記下地壁面材１２，２２，３２の側端部によって前記下地部１４を確実に遮蔽することができるので、前記ドア開口部１１の外観性を確実に向上できる。また、従来とは異なり、例えば額縁材や結合金具等の部材を用いずに、前記ドア開口部１１を化粧することができる。
【００４３】
なお、前記壁本体１０は、図１および図２に示すように、この壁本体１０と直交して配置される壁体１８と隣接しており、これら壁本体１０と壁体１８とが交差する部分には、前記表面部１５の突出縁部１５ａと、前記壁体１８の表面に貼り付けられた下地壁面材１８ａとの間の隙間には、この隙間を埋める見切り材１８ｂが設けられている。
【００４４】
本実施の形態によれば、前記表面部１５は、前記下地部１４を遮蔽する前記下地壁面材１２の室内側面よりも前方に突出する突出縁部１５ａを有しているので、前記下地部１４を確実に遮蔽しながら、前記突出縁部１５ａを、前記開口部１１の縁部に沿って見せることができる。このような表面部１５の突出縁部１５ａによれば、従来に比して、前記開口部１１付近に対して軽快でシンプルな印象を与えることができるので、より外観性を向上させることができる。
また、従来とは異なり、例えば額縁材や結合金具等の部材を用いずに、前記開口部１１を化粧することができるので、省部材化を図り、コストを確実に低減させることが可能となる。
【００４５】
（第２の実施の形態）
次に、図面を参照して本発明の第２の実施の形態について説明する。なお、説明の便宜上、上述した第１の実施の形態とは異なる構成部分のみについて説明する。
【００４６】
本実施の形態の枠材２３は、図６に示すように、壁本体２０に形成された開口部２１の縁部に取り付けられるものであり、前記開口部２１に面する前記壁本体２０の開口部側面２０ａ２に固定されるとともに、この開口部側面２０ａに連続する壁本体２０の室内側面２０ｃ，２０ｃの双方に貼り付けられる下地壁面材２２，２２の側端部によって遮蔽される下地部２４と、この下地部２４の開口部２１側に位置し、前記壁本体２０の開口部側面２０ａを化粧する表面部２５とを備えている。
そして、前記表面部２５は、この表面部２５の長さ方向と平行な両側縁部の双方の側縁部から、該表面部２５の長さ方向と直交する方向に沿って、前記下地壁面材２２，２２の室内側面よりも前方に突出する突出縁部２５ａを有している。
【００４７】
なお、本実施の形態の開口部２１は、前記壁本体２０が立設される床面付近から天井付近までの高さに設定されるとともに、ドア２７が開閉自在に取り付けられるドア開口部２１である。そして、前記枠材２３は、ドア開口部２１である前記開口部２１の縁部に取り付けられるドア枠材として用いられている。
つまり、門型に形成された壁本体２０の開口部側面のうち、前記ドア開口部２１の両側縁に位置する開口部側面２０ａと、ドア開口部２１の上縁に位置する開口部側面（図示せず）とに取り付けられている。
【００４８】
また、前記下地壁面材２２，２２の室内側面には、クロス２２ａがそれぞれ貼り付けられており、これらクロス２２ａ，２２ａには、前記壁本体２０の下端部に位置するようにして幅木２２ｂ，２２ｂがそれぞれ取り付けられている。
【００４９】
本実施の形態の表面部２５は、木粉と樹脂とを含む押出材を押出成形してなる押出成形品であり、戸当たり部材２６が嵌め込まれて係合する係合溝２５ｂと、前記壁本体１０の室内側面２０ｃ，２０ｃの延長線上に前記壁本体２０側に向かって突出する突出部２５ｃ，２５ｃを有している。
また、この表面部２５は、平面視略凸字状に形成される４つの溝部を有しており、これら４つの溝部の開放部分は前記下地部２４によって閉塞されている。
【００５０】
また、前記突出縁部２５ａ，２５ａの突出長さは、前記下地壁面材２２，２２が貼り付けられる壁本体２０の室内側面２０ｃ，２０ｃから、前記下地壁面材２２，２２の下端部に取り付けられた前記幅木２２ｂ，２２ｂの室内側面までの長さと略等しくなるように設定されている。
【００５１】
さらに、本実施の形態の下地部２４は木材であり、図６に示すように、前記表面部２５の突出部２５ｃ，２５ｃ間に挟み込まれるように、かつ前記４つ溝部の開放部分を閉塞できるように断面視において矩形板状に形成されている。
これにより、例えば、この下地部２４を前記表面部２５の裏面側の形状に合わせて複雑になる場合に比して、加工する手間を省くことができるので好ましい。また、前記突出部２５ｃ，２５ｃによって前記下地部２４を確実に保持できる。
【００５２】
本実施の形態によれば、従来に比して、前記開口部２１付近に対して軽快でシンプルな印象を与えることができるので、より外観性を向上させることができる。
また、従来とは異なり、例えば額縁材や結合金具等の部材を用いずに、前記開口部２１を化粧することができるので、省部材化を図り、コストを確実に低減させることが可能となる。
【００５３】
（第３の実施の形態）
次に、図面を参照して本発明の第３の実施の形態について説明する。なお、説明の便宜上、上述した第１および第２の実施の形態とは異なる構成部分のみについて説明する。
【００５４】
本実施の形態の枠材３４は、図７に示すように、壁本体３０に形成された開口部３１の縁部に取り付けられるものであり、前記開口部３１に面する前記壁本体３０の開口部側面３０ａに固定されるとともに、この開口部側面３０ａに連続する壁本体３０の室内側面３０ｃの一方に貼り付けられる下地壁面材３２の側端部によって遮蔽される下地部３４と、この下地部３４の開口部３１側に位置し、前記壁本体３０の開口部側面３０ａを化粧する表面部３５とを備えている。
そして、前記表面部３５は、この表面部３５の長さ方向と平行な両側縁部のうち、前記下地壁面材３２が貼り付けられる方の側縁部から、該表面部３５の長さ方向と直交する方向に沿って、前記下地壁面材３２の室内側面よりも前方に突出する突出縁部３５ａを有している。
【００５５】
なお、前記壁本体３０は、複数の壁パネルを逆Ｌ字状に組んでなり、逆Ｌ字状に組まれた壁本体３０の入隅側が前記開口部３１となっている。また、前記下地壁面材３２の室内側面には、クロス３２ａがそれぞれ貼り付けられており、これらクロス３２ａには、前記壁本体３０の下端部に位置するようにして幅木３２ｂが取り付けられている。
また、この壁本体３０は、この壁本体３０と直交して配置される壁体３８と隣接して配置されている。
【００５６】
さらに、前記壁本体３０は、前記開口部３１を挟んで、壁体３９と隣接している。
この壁体３９は、前記壁体３８と平行する方向に、かつ前記壁本体３０と直交する方向に延在しており、前記壁本体３０に設けられた枠材３３と対向する位置に、この枠材３３と対称に形成された枠材３３が設けられている。すなわち、前記開口部３１の両側縁に前記枠材３３が設けられることとなる。
なお、前記壁体３９側に設けられた枠材３３の突出縁部３３ａと、前記壁体３９の室内側面に貼り付けられた下地壁面材３９ａとの間の隙間には、この隙間を埋める見切り材３９ｂが設けられている。
【００５７】
また、前記開口部３１の両側縁に設けられた枠材３３，３３間には引き戸３７，３７が２枚設けられており、本実施の形態においては、これら引き戸３７，３７を境に一方が部屋となっており、他方が物入れとなっている。したがって、部屋側に位置する、前記壁本体３０の下地壁面材３２にも前記幅木３２ｂが取り付けられており、前記壁体３９の下地壁面材３９ａにも幅木３９ｃが取り付けられている。一方、物入れ側に位置する、前記壁体３８の下地壁面材３８ａと、前記壁体３９のもう一方の下地壁面材３９ａには幅木を設けなくてもよい。
【００５８】
したがって、本実施の形態の表面部３５の突出縁部３５ａは、室内側の一方だけに突出して設けられている。そして、この表面部３５の他方の側縁部には、図７に示すように、断面視において矩形枠状に形成された筒状部３５ｂが設けられている。このような筒状部３５ｂであれば、前記突出縁部３５ａに比して強度に優れるとともに、前記物入れ内に位置する下地壁面材３８ａ，３９ａも、それぞれ側端面を押し当てて固定するだけで済むので、物入れ等のように人目につきにくい場所において好ましい。
【００５９】
また、前記表面部３５は、木粉と樹脂とを含む押出材を押出成形してなる押出成形品であり、前記壁本体３０の室内側面３０ｃの延長線上に前記壁本体３０側に向かって突出する突出部３５ｃを有している。
【００６０】
また、前記突出縁部３５ａの突出長さは、前記下地壁面材３２が貼り付けられる壁本体３０の室内側面３０ｃから、前記下地壁面材３２の下端部に取り付けられた前記幅木３２ｂの室内側面までの長さと略等しくなるように設定されている。
【００６１】
さらに、前記表面部３５は、この表面部３５の化粧面の裏側に、該表面部３５の長さ方向に沿って、かつ前記化粧面の横方向に沿って並設するようにして複数の凹部３５ｄを有しており、これら複数の凹部３５ｄ内に接着剤を充填するなどして、前記下地部３４と表面部３５との接合強度を高めることができる。
【００６２】
さらに、本実施の形態の下地部３４は、断面視において矩形板状に形成された木材であり、図７に示すように、前記表面部３５の突出部３５ｃと、前記筒状部３５ｂとの間に挟み込まれるようにして、前記表面部３５と結合している。
【００６３】
本実施の形態によれば、例えば、部屋と物入れとの間に位置する開口部３１に対しても軽快でシンプルな印象を与えることができるので、外観性を向上させることができる。
また、従来とは異なり、例えば額縁材や結合金具等の部材を用いずに、前記開口部３１を化粧することができるので、省部材化を図り、コストを確実に低減させることが可能となる。
【００６４】
（第４の実施の形態）
次に、図面を参照して本発明の第４の実施の形態について説明する。なお、説明の便宜上、上述した第１〜第３の実施の形態とは異なる構成部分のみについて説明する。
【００６５】
本実施の形態の枠材４４は、図８および図９に示すように、壁本体４０に形成された開口部４１の縁部に取り付けられるものであり、前記開口部４１に面するとともに、この開口部４１の下縁に位置する前記壁本体４０の開口部側面４０ｂに固定されるとともに、この開口部側面４０ｂに連続する壁本体４０の室内側面４０ｃの一方に貼り付けられる下地壁面材４２の側端部によって遮蔽される下地部４４と、この下地部４４の開口部４１側に位置し、前記壁本体４０の開口部側面４０ａを化粧する表面部４５とを備えている。
そして、前記表面部４５は、この表面部４５の長さ方向と平行な両側縁部のうち、前記下地壁面材４２が貼り付けられる方の側縁部から、該表面部４５の長さ方向と直交する方向に沿って、前記下地壁面材４２の室内側面よりも前方に突出する突出縁部４５ａを有している。
なお、本実施の形態の壁本体４０は、室内と屋外との間に立設される外壁である。
【００６６】
ここで、前記壁本体４０は、複数の壁パネルを口字状に組み立てることによって前記開口部４１を形成できるようになっている。この開口部４１は、前記壁本体４０が立設される床面から所定高さ位置に形成されるとともに、前記開口部側面４０ｂの屋外側に窓サッシ４７が嵌め込まれて取り付けられる窓開口部４１であり、前記枠材４３は、この窓開口部４１の縁部に取り付けられる窓枠材として用いられている。
そして、この窓枠材としての枠材４３は、該枠材４３の下地部４４を、前記開口部側面４０ｂに連続する壁本体４０の室内側面４０ｃに貼り付けられる下地壁面材４２の側端部と、前記窓サッシ４７とによって遮蔽するようにして、前記開口部側面４０ｂの室内側に取り付けられている。
【００６７】
また、前記下地壁面材４２の室内側面には、クロス４２ａが貼り付けられており、このクロス４２ａには、前記壁本体４０の下端部に位置するようにして幅木４２ｂが取り付けられている。
【００６８】
また、図９に示すように、前記開口部４１の上縁に位置する前記壁本体４０の開口部側面４０ｂと、前記開口部４１の両側縁に位置する前記壁本体４０の開口部側面（図示せず）には、前記壁本体４０の室内側面４０ｃに貼り付けられた下地壁面材４２と連続する見込み合板４８，４８が設けられている。
また、これら見込み合板４８，４８の表面には、前記下地壁面材４２に貼り付けられたクロス４２ａが連続して貼り付けられており、これら見込み合板４８，４８と前記窓サッシ４７との間に設けられる見切り材４８ａによって、前記クロス４２ａの端部が見切られている。
【００６９】
また、前記表面部４５は、木粉と樹脂とを含む押出材を押出成形してなる押出成形品であり、前記突出縁部４５ａと、前記下地部４４に形成される被係合部４４ｂ（後述する）に係合する係合部４５ｂとを有している。
さらに、前記突出縁部４４ａの突出長さは、前記下地壁面材４２が貼り付けられる壁本体４０の室内側面４０ｃから、前記下地壁面材４２の下端部に取り付けられた幅木２２ｂの室内側面までの長さと略等しくなるように設定されている。
【００７０】
なお、前記表面部４５の化粧面の裏側の押出形状は、本発明の趣旨を逸脱しない範囲で適宜変更可能である。
また、前記表面部４５の化粧面は平板に形成されており、例えば、絵画やオブジェ、観葉植物等を置ける窓台として利用することができるので、窓開口部４１の外観性を向上できて好ましい。
【００７１】
一方、前記下地部４４は、木粉と樹脂とを含む押出材を押出成形してなる押出成形品であり、前記開口部側面４０ｂに当接し、該下地部４４を支持する側断面視略凹字状の当接部４４ａと、前記表面部４５の係合部４５ｂが係合する被係合部４４ｂとを有している。
なお、この下地部４４の押出形状は、本発明の趣旨を逸脱しない範囲で適宜変更可能であるとともに、木材を加工してなるものでもよい。
【００７２】
本実施の形態によれば、例えば、室内と屋外との間に位置する開口部４１に対しても軽快でシンプルな印象を与えることができるので、外観性を向上させることができる。すなわち、前記枠材４３を、前記下地部４４を、前記開口部側面４０ｂに連続する壁本体４０の室内側面４０ｃに貼り付けられる下地壁面材４２の側端部と、前記窓サッシ４７とによって遮蔽するようにして、前記開口部側面４０ｂの室内側に取り付けることによって、前記下地壁面材４２の側端部によって前記下地部４４を確実に遮蔽することができるので、前記窓開口部４１の外観性を確実に向上できる。
また、従来とは異なり、例えば額縁材や結合金具等の部材を用いずに、前記開口部４１を化粧することができるので、省部材化を図り、コストを確実に低減させることが可能となる。
【００７３】
（第５の実施の形態）
次に、図面を参照して本発明の第５の実施の形態について説明する。なお、説明の便宜上、上述した第１〜第４の実施の形態とは異なる構成部分のみについて説明する。
【００７４】
本実施の形態の枠材５３は、図１０に示すように、壁本体５０に形成された開口部５１の縁部に取り付けられるものであり、前記開口部５１に面する前記壁本体５０の開口部側面５０ａの長さ方向と平行な両側縁部のうち、一方の側縁部側に配置される第１部材５３Ａと、他方の側縁部側に配置される第２部材５３Ｂとからなる。
前記第１部材５３Ａは、前記開口部５１に面する前記壁本体５０の開口部側面５０ａに固定されるとともに、この開口部側面５０ａに連続する壁本体５０の一方の室内側面５０ｃに貼り付けられる下地壁面材５２の側端部によって遮蔽される第１下地部５４Ａと、この第１下地部５４Ａの開口部５１側に位置し、前記壁本体５０の開口部側面５０ａを化粧する第１表面部５５Ａとを備えている。
前記第２部材５３Ｂは、前記開口部５１に面する前記壁本体５０の開口部側面５０ａに固定されるとともに、この開口部側面５０ａに連続する壁本体５０の他方の室内側面５０ｃに貼り付けられる下地壁面材５２の側端部によって遮蔽される第２下地部５４Ｂと、この第２下地部５４Ｂの開口部５１側に位置し、前記壁本体５０の開口部側面５０ａを化粧する第２表面部５５Ｂとを備えている。
【００７５】
なお、本実施の形態の開口部５１は、前記壁本体５０が立設される床面付近から天井付近までの高さに設定されるとともに、ドア５７が開閉自在に取り付けられるドア開口部５１である。そして、前記枠材５３は、ドア開口部５１である前記開口部５１の縁部に取り付けられるドア枠材として用いられている。
つまり、門型に形成された壁本体５０の開口部側面のうち、前記ドア開口部５１の両側縁に位置する開口部側面５０ａと、ドア開口部５１の上縁に位置する開口部側面（図示せず）とに取り付けられている。
【００７６】
また、前記下地壁面材５２の室内側面には、クロス５２ａがそれぞれ貼り付けられており、これらクロス５２ａには、前記壁本体５０の下端部に位置するようにして幅木５２ｂがそれぞれ取り付けられている。
【００７７】
本実施の形態の第１部材５３Ａの第１下地部５４Ａと第１表面部５５Ａとは、木粉と樹脂とを含む押出材を押出成形してなる押出成形品であり、一体的に形成されている。
前記第２部材５３Ｂの第２下地部５４Ｂと第２表面部５５Ｂも同じく押出成形品であり、一体的に形成されている。
【００７８】
前記第１下地部５４Ａは、前記第１部材５３Ａのうち、この第１下地部５４Ａが遮蔽される下地壁面材５２の開口部５１側端部よりも開口部５１側に突出しない部位の付近を指している。
また、前記第２下地部５４Ｂは、前記第２部材５３Ｂのうち、この第２下地部５４Ｂが遮蔽される下地壁面材５２の開口部５１側端部よりも開口部５１側に突出しない部位の付近を指している。
さらに、前記第２下地部５４Ｂの開口部側面５０ａから開口部５１側方向への長さは、前記第１下地部５４Ａの開口部側面５０ａから開口部５１側方向への長さよりも長くなるように設定されている。
また、これに伴って、前記第２下地部５４Ｂを遮蔽する下地壁面材５２の開口部５１側への突出長さも、前記第１下地部５４Ａを遮蔽する下地壁面材５２の開口部５１側への突出長さよりも長くなるように設定されている。
【００７９】
前記第１表面部５５Ａは、前記第１部材５３Ａのうち、前記第１下地部５４Ａが遮蔽される下地壁面材５２の開口部５１側端部よりも開口部５１側に突出する部位の付近を指している。
また、この第１表面部５５Ａは、該第１表面部５５Ａの下地壁面材５２側縁部から、該第１表面部５５Ａの長さ方向と直交する方向に沿って、前記下地壁面材５２の室内側面よりも前方に突出する第１突出縁部５５Ａａを有している。
【００８０】
また、前記第１突出縁部５５Ａａの突出長さは、前記下地壁面材５２が貼り付けられる壁本体５０の室内側面５０ｃから、前記下地壁面材５２の下端部に取り付けられた前記幅木５２ｂの室内側面までの長さと略等しくなるように設定されている。
【００８１】
前記第２表面部５５Ｂは、前記第２部材５３Ｂのうち、前記第２下地部５４Ｂが遮蔽される下地壁面材５２の開口部５１側端部よりも開口部５１側に突出する部位の付近を指している。
また、この第２表面部５５Ｂは、該第２表面部５５Ｂの下地壁面材５２側縁部から、該第２表面部５５Ｂの長さ方向と直交する方向に沿って、前記下地壁面材５２の室内側面よりも前方に突出する第２突出縁部５５Ｂａと、この第２突出縁部５５Ｂａとは反対方向に突出するとともに前記第１表面部５５Ａの第２部材５３Ｂ側縁部に重ね合わせられる第３突出縁部５６とを有している。
【００８２】
また、前記第２突出縁部５５Ｂａの突出長さは、前記下地壁面材５２が貼り付けられる壁本体５０の室内側面５０ｃから、前記下地壁面材５２の下端部に取り付けられた前記幅木５２ｂの室内側面までの長さと略等しくなるように設定されている。
【００８３】
前記第３突出縁部５６は、前記第２突出縁部５５Ｂａの厚みよりも厚くなるように形成されており、この第３突出縁部５６の開口部５１側面と前記第２突出縁部５５Ｂａの開口部５１側面とは面一になるように設定され、この第３突出縁部５６の壁本体５０側面は、前記第１表面部５５Ａの開口部５１側面に当接するように設定されている。
【００８４】
そして、前記第１表面部５５Ａと第２表面部５５Ｂとは段状に組み合わせられており、前記第３突出縁部５６を、ドアの側端部が当接する戸当たりとして利用できるようになっている。
さらに、この第３突出縁部５６の第１部材５３Ａ側端面には、例えばモヘアやゴム等のように、ドア５７と第３突出縁部５６との隙間を塞ぐとともに、ドア５７と第３突出縁部５６とが強く接触する際のクッション材としての役割を果たす閉塞部材が取り付けられている。
【００８５】
また、前記第１部材５３Ａと第２部材５３Ｂとは、互いにかみ合うように構成されている。すなわち、図１０に示すように、前記第１部材５３Ａは、前記第１表面部５５Ａの第１突出縁部５５Ａａとは反対方向に突出する凸部５８を有しており、前記第２部材５３Ｂは、この凸部５８が嵌合する凹部５９を有している。
このように前記凸部５８を前記凹部５９に嵌合して、前記第１部材５３Ａと第２部材５３Ｂとを互いにかみ合わせることによって、前記第２部材５３Ｂが外れることを確実に防ぐことが可能となる。
すなわち、前記第２部材５３Ｂは、後述のように、接着によって固定されるとともに、前記第１部材５３Ａに比して小さい部材であり、さらに、ドア５７開閉時に該ドア５７の側端部が接触するものであるため、何の対処もなければ、外れやすい部材であるが、上述のように前記第１部材５３Ａと第２部材５３Ｂとが互いにかみ合うとともに、枠材５３自体が前記下地壁面材５２，５２によって両側から挟みこまれるので、前記第２部材５３Ｂが外れることを確実に防ぐことができるようになっている。
【００８６】
なお、前記凸部５８の、前記第１下地部５４Ａから第２部材５３Ｂ側への突出寸法と、前記凹部５９の、前記第２下地部５４Ｂの第１部材５３Ａ側面からの深さ寸法とは、略等しくなるように設定されている。
また、本実施の形態の凸部５８および凹部５９は、前記枠材５３の長さ方向に沿って形成されているが、これに限らず、前記枠材５３の長さ方向に沿って点在するものとしてもよいし、前記凸部５８は前記枠材５３の長さ方向に沿って点在し、かつ前記凹部５９は前記枠材５３の長さ方向に沿って溝状に形成されるものとしてもよい。
【００８７】
また、前記第２表面部５５ｂの裏側において、前記第１部材５３Ａと第２部材５３Ｂとの間には隙間６０が形成されている。
この隙間６０は、前記凸部５８を凹部５９に隙間なく嵌合させることで閉塞するように形成されており、この隙間６０を利用して、前記第１部材５３Ａと第２部材５３Ｂとを、前記凸部５８を凹部５９に嵌合させた状態で、互いに離間させたり、近づけたりすることができる。
すなわち、前記枠材５３の幅を調整できることとなる。これによって、例えば両方の下地壁面材５２，５２間の長さに対して、枠材５３の幅寸法が広くなってしまう場合に、前記隙間６０を利用して前記第１部材５３Ａと第２部材５３Ｂとを互いに近づけることで、枠材５３の幅寸法を縮めることができるので、前記枠材５３を、前記両方の下地壁面材５２，５２間に確実に納めることができる。
また、両方の下地壁面材５２，５２間の長さに対して、枠材５３の幅寸法が小さくなってしまう場合には、前記第１部材５３Ａと第２部材５３Ｂとを互いに離間させることで、枠材５３の幅寸法を伸ばすことができるので、この場合においても、前記枠材５３を、前記両方の下地壁面材５２，５２間に確実に納めることができる。
【００８８】
そして、以上のようなドア枠材としての枠材５３は、図１０に示すように、該枠材５３の第１下地部５４Ａおよび第２下地部５４Ｂを、前記開口部側面５０ａに連続する壁本体５０の一方および他方の室内側面５０ｃ，５０ｃに貼り付けられる下地壁面材５２，５２の側端部によって遮蔽するようにして、前記開口部側面５０ａに取り付けられている。
これにより、前記下地壁面材５２，５２の側端部によって前記第１下地部５４Ａおよび第２下地部５４Ｂをより確実に遮蔽することができるので、前記ドア開口部５１の外観性を確実に向上できる。
また、従来とは異なり、例えば額縁材や結合金具等の部材を用いずに、前記ドア開口部５１を化粧することができるので、省部材化を図り、コストをより確実に低減させることが可能となる。
【００８９】
また、前記第１下地部５４Ａは、前記壁本体５０の開口部側面５０ａに対してビス６１等の止着材によって止着固定されている。この第１下地部５４Ａは、該第１下地部５４Ａの下地壁面材５２に当接する側面と、前記壁本体５０の室内側面５０ｃとが面一になるように固定されている。
なお、前記ビス６１は、前記第２表面部５５Ｂの第３突出縁部５６によって遮蔽されている。
【００９０】
また、前記第２下地部５４Ｂは、前記壁本体５０の開口部側面５０ａに対して図示しない接着剤によって接着固定されている。この第２下地部５４Ｂも、該第２下地部５４Ｂの下地壁面材５２に当接する側面と、前記壁本体５０の室内側面５０ｃとが面一になるように固定されている。
つまり、この第２下地部５４Ｂは、該第２下地部５４Ｂの下地壁面材５２に当接する側面と、前記壁本体５０の室内側面５０ｃとが面一になるように位置調整がされており、枠材３自体の幅寸法を決定していることになる。
【００９１】
本実施の形態によれば、前記第２下地部５４Ｂの開口部側面５０ａから開口部５１側方向への長さは、前記第１下地部５４Ａの開口部側面５０ａから開口部５１側方向への長さよりも長くなるように設定されており、前記第２表面部５５Ｂは、前記第２突出縁部５５Ｂａとは反対方向に突出するとともに前記第１表面部５５Ａの第２部材５３Ｂ側縁部に重ね合わせられる第３突出縁部５６とを有しているので、前記第１表面部５５Ａと第２表面部５５Ｂとを段状に組み合わせることができるとともに、前記第３突出縁部５６を、ドアの側端部が当接する戸当たりとして利用することができる。すなわち、前記第１表面部５５Ａと第２表面部５５Ｂとを段状に組み合わせることで、戸当たりを形成することができるので、戸当たりを別個に取り付ける作業を省略できる分、作業効率を向上させることができるとともに、省部材化をさらに促進することができる。
【符号の説明】
【００９２】
１０  壁本体
１０ａ  開口部側面
１０ｂ  開口部側面
１０ｃ  室内側面
１１  開口部
１２  下地壁面材
１３  枠材
１４  下地部
１５  表面部
１５ａ  突出縁部
２０  壁本体
２０ａ  開口部側面
２０ｃ  室内側面
２１  開口部
２２  下地壁面材
２３  枠材
２４  下地部
２５  表面部
２５ａ  突出縁部
【図１】
2010180694.tif 000003
【図２】
2010180694.tif 000004
【図３】
2010180694.tif 000005
【図４】
2010180694.tif 000006
【図５】
2010180694.tif 000007
【図６】
2010180694.tif 000008
【図７】
2010180694.tif 000009
【図８】
2010180694.tif 000010
【図９】
2010180694.tif 000011
【図１０】
2010180694.tif 000012